(57)【要約】【課題】多重装置からＲＥＣへ出力される各ＲＥの上り信号のＳＮＲの劣化を抑制すること。【解決手段】多重装置は、受信部と、算出部と、判定部と、遮断部と、多重部とを有する。受信部は、無線装置毎に設けられ、当該無線装置から送信された上り信号を受信する。算出部は、受信部により受信された上り信号の電力値を算出する。判定部は、算出部により算出された上り信号の電力値を用いて、当該上り信号が当該上り信号を送信した無線装置の雑音のみを含むか否かを判定する。遮断部は、判定部により上り信号が雑音のみを含むと判定された場合に、雑音のみを含む上り信号である雑音信号を遮断する。多重部は、受信部により受信された上り信号であって、遮断部により雑音信号として遮断されていない上り信号を多重して無線制御装置へ出力する。【選択図】図１
2017200111.tif 000002
【特許請求の範囲】
【請求項１】
複数の無線装置の各々から送信された上り信号を多重して無線制御装置へ出力する多重装置であって、
前記無線装置毎に設けられ、当該無線装置から送信された上り信号を受信する受信部と
前記受信部により受信された上り信号の電力値を算出する算出部と、
前記算出部により算出された前記上り信号の電力値を用いて、当該上り信号が当該上り信号を送信した無線装置の雑音のみを含むか否かを判定する判定部と、
前記判定部により前記上り信号が前記雑音のみを含むと判定された場合に、前記雑音のみを含む前記上り信号である雑音信号を遮断する遮断部と、
前記受信部により受信された上り信号であって、前記遮断部により前記雑音信号として遮断されていない前記上り信号を多重して前記無線制御装置へ出力する多重部と
を有することを特徴とする多重装置。
【請求項２】
前記判定部は、前記上り信号の電力値が第１の閾値以下である場合に、前記上り信号が前記雑音のみを含むと判定することを特徴とする請求項１に記載の多重装置。
【請求項３】
前記判定部は、所定の期間において前記上り信号の電力値を複数取得し、取得した複数の電力値のうち、最も小さい電力値で前記第１の閾値を更新することを特徴とする請求項２に記載の多重装置。
【請求項４】
前記第１の閾値は、前記無線装置毎に異なることを特徴とする請求項２又は３に記載の多重装置。
【請求項５】
前記受信部により受信された上り信号を周波数領域において連続する複数の周波数成分に変換する変換部をさらに有し、
前記算出部は、前記複数の周波数成分が所定数ずつ分割されて得られる周波数リソース単位の電力値を算出し、
前記判定部は、前記周波数リソース単位の電力値を用いて、前記周波数リソース単位が前記雑音のみを含むか否かを判定し、
前記遮断部は、前記判定部により前記周波数リソース単位が前記雑音のみを含むと判定された場合に、前記雑音のみを含む前記周波数リソース単位である雑音リソース単位を遮断し、
前記多重部は、前記複数の周波数成分のうち、前記遮断部により前記雑音リソース単位として遮断されていない周波数リソース単位に属する周波数成分を多重して前記無線制御装置へ出力することを特徴とする請求項１に記載の多重装置。
【請求項６】
前記判定部は、前記周波数リソース単位の電力値が第２の閾値以下である場合に、前記周波数リソース単位が前記雑音のみを含むと判定することを特徴とする請求項５に記載の多重装置。
【請求項７】
前記第２の閾値は、前記無線装置毎に異なることを特徴とする請求項６に記載の多重装置。
【発明の詳細な説明】
【技術分野】
【０００１】
本発明は、多重装置に関する。
【背景技術】
【０００２】
１台のＲＥＣ（Radio  Equipment  Controller）と、複数のＲＥ（Radio  Equipment）とが光ファイバ等のケーブルを介して接続された基地局システムが知られている。このような基地局システムにおいて、各ＲＥが、移動局から受信した上り信号をＲＥＣへ送信する場合、ケーブルの容量を有効に活用するために、上り信号を圧縮してＲＥＣへ送信することが行われる。
【先行技術文献】
【特許文献】
【０００３】
【特許文献１】特表２０１５−５１０７０４号公報
【発明の概要】
【発明が解決しようとする課題】
【０００４】
ところで、基地局システムにおいてケーブルの容量をより有効に活用するために、複数のＲＥとＲＥＣとの間に、複数のＲＥからそれぞれ送信された複数の上り信号を多重してＲＥＣへ出力する多重装置を設けることが考えられる。
【０００５】
ここで、各ＲＥから送信される上り信号は、移動局からのユーザデータ信号を含まない場合がある。この場合、ユーザデータ信号を含まない上り信号は、各ＲＥの雑音のみを含むこととなる。上記の多重装置は、あるＲＥから送信される上り信号が雑音のみを含む場合であっても、雑音のみを含む上り信号（以下「雑音信号」と呼ぶ）と、他のＲＥから送信される、ユーザデータ信号を含む上り信号とを多重してＲＥＣへ出力する。そのため、多重装置からＲＥＣへ出力される他のＲＥの上り信号の信号対雑音比（ＳＮＲ：Signal  to  Noise  Ratio）が、上記の「雑音信号」の多重によって劣化する。
【０００６】
開示の技術は、上記に鑑みてなされたものであって、多重装置からＲＥＣへ出力される各ＲＥの上り信号のＳＮＲの劣化を抑制することができる多重装置を提供することを目的とする。
【課題を解決するための手段】
【０００７】
本願の開示する多重装置は、一つの態様において、複数の無線装置の各々から送信された上り信号を多重して無線制御装置へ出力する多重装置は、受信部と、算出部と、判定部と、遮断部と、多重部とを有する。前記受信部は、前記無線装置毎に設けられ、当該無線装置から送信された上り信号を受信する。前記算出部は、前記受信部により受信された上り信号の電力値を算出する。前記判定部は、前記算出部により算出された前記上り信号の電力値を用いて、当該上り信号が当該上り信号を送信した無線装置の雑音のみを含むか否かを判定する。前記遮断部は、前記判定部により前記上り信号が前記雑音のみを含むと判定された場合に、前記雑音のみを含む前記上り信号である雑音信号を遮断する。前記多重部は、前記受信部により受信された上り信号であって、前記遮断部により前記雑音信号として遮断されていない前記上り信号を多重して前記無線制御装置へ出力する。
【発明の効果】
【０００８】
本願の開示する多重装置の一つの態様によれば、多重装置からＲＥＣへ出力される各ＲＥの上り信号のＳＮＲの劣化を抑制することができるという効果を奏する。
【図面の簡単な説明】
【０００９】
【図１】図１は、実施例１の基地局システムの一例を示す図である。
【図２】図２は、実施例１の多重装置の処理動作の一例を示す図である。
【図３】図３は、実施例２の基地局システムの一例を示す図である。
【図４】図４は、実施例２のＳＷ制御部の一例を示すブロック図である。
【図５】図５は、実施例２におけるＳＷ制御部、ＳＷ及び上り信号多重部の処理動作の一例を示す図である。
【図６】図６は、実施例２におけるＳＷ制御部、ＳＷ及び上り信号多重部の処理動作の一例を示す図である。
【図７】図７は、実施例２におけるＳＷ制御部、ＳＷ及び上り信号多重部の処理動作の一例を示す図である。
【図８】図８は、実施例２の多重装置の処理動作の一例を示す図である。
【図９】図９は、変形例の基地局システムの一例を示す図である。
【図１０】図１０は、多重装置のハードウェアの一例を示す図である。
【発明を実施するための形態】
【００１０】
以下に、本願の開示する多重装置の実施例を図面に基づいて詳細に説明する。なお、この実施例により開示技術が限定されるものではない。また、実施例において同一の機能を有する構成には同一の符号を付し、重複する説明は省略される。
【実施例１】
【００１１】
＜基地局システム１０＞
図１は、実施例１の基地局システム１０の一例を示す図である。図１において、基地局システム１０は、ＲＥ２０−１〜２０−４、多重装置３０及びＲＥＣ５０を有する。ＲＥ２０−１〜２０−４の各々と、多重装置３０とは、光ファイバ等のケーブルで接続されている。また、多重装置３０と、ＲＥＣ５０とは光ファイバ等のケーブルで接続されている。ＲＥ２０−１〜２０−４の各々と、多重装置３０との間のインタフェース仕様、又は、多重装置３０と、ＲＥＣ５０との間のインタフェース仕様は、例えばＣｏｍｍｏｎ  Ｐｕｂｌｉｃ  Ｒａｄｉｏ  Ｉｎｔｅｒｆａｃｅ（ＣＰＲＩ）によって標準化されている。なお、以下では、ＲＥ２０−１〜２０−４の各々を区別することなく総称する場合にＲＥ２０と記載するものとする。ＲＥ２０の各々は、無線装置の一例である。なお、図１の例では、４つのＲＥ２０が多重装置３０に接続される例を示したが、ＲＥ２０の数は４に限定されない。
【００１２】
基地局システム１０は、移動局との間で、例えばＷ−ＣＤＭＡ（Wideband−Code  Division  Multiple  Access）方式に基づく無線信号を送信および受信する。本実施例の多重装置３０は、移動局へ送信する下り信号については、下り信号をコピーしてＲＥ２０の各々へ送信する。これにより、ＲＥ２０の各々からは同一の下り信号が同時に送信される。また、本実施例の多重装置３０は、移動局から送信された上り信号については、ＲＥ２０の各々が移動局から受信した上り信号をＲＥＣ５０へ送信する場合に、ＲＥ２０の各々から送信された上り信号を多重する。そして、多重装置３０は、多重された上り信号を光ファイバ等のケーブルを介してＲＥＣ５０へ出力する。ＲＥＣ５０は、無線制御装置の一例である。
【００１３】
＜ＲＥ２０＞
ＲＥ２０の各々は、例えば図１に示すように、アンテナ２１、受信処理部２２及び光インタフェース部２３を有する。受信処理部２２は、アンテナ２１を介して移動局から受信された上り信号に直交変調、ダウンコンバート及びアナログデジタル変換等の処理を施し、処理後の上り信号を光インタフェース部２３へ出力する。光インタフェース部２３は、受信処理部２２から出力された上り信号をＣＰＲＩフレーム等の光通信フレームにマッピングして多重装置３０へ出力する。これにより、ＲＥ２０の各々から多重装置３０へ上り信号が送信される。ここで、ＲＥ２０の各々から送信される上り信号は、移動局からのユーザデータ信号を含まない場合がある。この場合、ユーザデータ信号を含まない上り信号は、各ＲＥ２０の雑音（例えば、熱雑音）のみを含むこととなる。
【００１４】
＜多重装置３０＞
多重装置３０は、例えば図１に示すように、光インタフェース部３１−１〜３１−４、電力算出部３２−１〜３２−４、判定部３３−１〜３３−４、ＳＷ（Switch）３４−１〜３４−４、上り信号多重部３５及び光インタフェース部３６を有する。なお、以下では、光インタフェース部３１−１〜３１−４の各々を区別することなく総称する場合に光インタフェース部３１と記載する。また、以下では、電力算出部３２−１〜３２−４の各々を区別することなく総称する場合に電力算出部３２と記載する。また、以下では、判定部３３−１〜３３−４の各々を区別することなく総称する場合に判定部３３と記載する。また、以下では、ＳＷ３４−１〜３４−４の各々を区別することなく総称する場合にＳＷ３４と記載する。本実施例において、光インタフェース部３１、電力算出部３２、判定部３３及びＳＷ３４は、１つのＲＥ２０に対して１つ設けられる。
【００１５】
光インタフェース部３１は、ＲＥ２０から送信された上り信号（つまり、光通信フレーム）を受信し、受信した上り信号を光信号から電気信号に変換し、電気信号に変換された上り信号をＳＷ３４へ出力する。光インタフェース部３１は、受信部の一例であり、光インタフェース部３１からＳＷ３４へ出力された上り信号は、受信部により受信された上り信号の一例である。
【００１６】
電力算出部３２は、光インタフェース部３１からＳＷ３４へ出力された上り信号の電力値を算出する。そして、電力算出部３２は、算出された上り信号の電力値を判定部３３へ出力する。電力算出部３２は、例えば、所定の期間で算出された複数の上り信号の電力値を積分又は平均化しても良い。これにより、瞬時的な上り信号の電力値の変動が抑制される。
【００１７】
判定部３３は、電力算出部３２から出力された上り信号の電力値を用いて、上り信号が当該上り信号を送信したＲＥ２０の雑音のみを含むか否かを判定する。具体的には、判定部３３は、上り信号の電力値が所定の閾値Ｐｔｈ１を超える場合に、上り信号がＲＥ２０の雑音だけでなく移動局からのユーザデータ信号を含むと判定する。一方、判定部３３は、上り信号の電力値が閾値Ｐｔｈ１以下である場合に、上り信号がＲＥ２０の雑音のみを含むと判定する。そして、判定部３３は、上り信号が当該上り信号を送信したＲＥ２０の雑音のみを含むか否かを示す情報を判定結果としてＳＷ３４へ出力する。上記の閾値Ｐｔｈ１は、ＲＥ２０の雑音指数（ＮＦ：Noise  Figure）に基づいて予め決定される値であり、例えば、等価雑音電力値である。閾値Ｐｔｈ１は、第１の閾値の一例である。
【００１８】
なお、上記の説明では、閾値Ｐｔｈ１は、固定値であるものとしたが、動的に更新されても良い。例えば、判定部３３は、所定の期間において上り信号の電力値を電力算出部３２から複数取得し、取得した複数の電力値のうち、最も小さい電力値で閾値Ｐｔｈ１を更新しても良い。また、閾値Ｐｔｈ１は、ＲＥ２０毎に異なる値としても良い。
【００１９】
ＳＷ３４は、判定部３３から受け取った判定結果に応じて、光インタフェース部３１からＳＷ３４へ出力された上り信号の通過又は遮断を切り替える。具体的には、ＳＷ３４は、判定部３３により上り信号がＲＥ２０の雑音だけでなく移動局からのユーザデータ信号を含むと判定された場合に、光インタフェース部３１からＳＷ３４へ出力された上り信号を通過させて上り信号多重部３５へ出力する。一方、ＳＷ３４は、判定部３３により上り信号がＲＥ２０の雑音のみを含むと判定された場合に、光インタフェース部３１からＳＷ３４へ出力された上り信号、つまり、ＲＥ２０の雑音のみを含む上り信号（以下「雑音信号」と呼ぶ）を遮断する。
【００２０】
上り信号多重部３５は、光インタフェース部３１からＳＷ３４へ出力された上り信号であって、ＳＷ３４により雑音信号として遮断されていない上り信号を多重する。そして、上り信号多重部３５は、多重された上り信号をＲＥＣ５０へ出力する。これにより、多重装置３０からＲＥＣ５０へ出力される各ＲＥ２０の上り信号から雑音信号が除外される。この結果として、多重装置３０からＲＥＣ５０へ出力される各ＲＥ２０の上り信号のＳＮＲの劣化を抑制することができる。
【００２１】
ここで、ＲＥ２０−１から送信された上り信号が雑音信号であり、ＲＥ２０−２〜ＲＥ２０−４の各々から送信された上り信号が移動局からのユーザデータ信号を含む場合を想定する。この場合、ＲＥ２０−１から送信された上り信号は、ＳＷ３４−１により雑音信号として遮断されるが、ＲＥ２０−２〜ＲＥ２０−４の各々から送信された上り信号は、ユーザデータ信号を含むのでＳＷ３４−２〜ＳＷ３４−４により遮断されない。このため、上り信号多重部３５は、ＳＷ３４−２〜ＳＷ３４−４により雑音信号として遮断されていない、ＲＥ２０−２〜ＲＥ２０−４の各々からの上り信号を多重してＲＥＣ５０へ出力する。このとき、ＲＥ２０−２〜ＲＥ２０−４の各々からの上り信号には、雑音信号であるＲＥ２０−１からの雑音信号が多重されない。したがって、ＲＥ２０−２〜ＲＥ２０−４の各々からの上り信号のＳＮＲの劣化が抑制される。
【００２２】
光インタフェース部３６は、上り信号多重部３５からＲＥＣ５０へ出力された上り信号を光通信フレームにマッピングしてＲＥＣ５０へ送信する。
【００２３】
＜多重装置３０の動作＞
以上の構成を有する多重装置３０の処理動作の一例について説明する。図２は、実施例１の多重装置３０の処理動作の一例を示す図である。図２では、多重装置３０に、２つのＲＥ２０−１及びＲＥ２０−２が接続されている場合を想定する。図２において、上り信号＃１は、ＲＥ２０−１から送信された上り信号であり、時間軸に沿って複数のフレーム（フレーム＃１−０〜フレーム＃１−３）に区分されているものとする。また、上り信号＃２は、ＲＥ２０−２から送信された上り信号であり、時間軸に沿って複数のフレーム（フレーム＃２−０〜フレーム＃２−３）に区分されているものとする。
【００２４】
まず、ＲＥ２０−１から送信された上り信号と、ＲＥ２０−２から送信された上り信号とが共に移動局からのユーザデータ信号を含む場合の多重装置３０の処理動作を説明する。
【００２５】
例えば図２（ａ）に示すように、ＲＥ２０−１から送信された上り信号のフレーム＃１−０が多重装置３０の光インタフェース部３１−１によって受信されると、電力算出部３２−１は、図２（ｂ）に示すように、フレーム＃１−０の電力値＃１−０を算出する。
【００２６】
判定部３３−１は、図２（ｃ）に示すように、フレーム＃１−０の電力値＃１−０を用いて、ＲＥ２０−１から送信された上り信号がＲＥ２０−１の雑音のみを含むか否かを判定し、その判定結果＃１−０をＳＷ３４−１へ出力する。図２（ｃ）の例では、判定結果＃１−０は、「ＯＫ」であり、ＲＥ２０−１から送信された上り信号がＲＥ２０−１の雑音だけでなく移動局からのユーザデータ信号を含むことを示す。
【００２７】
ＳＷ３４−１は、図２（ｄ）に示すように、判定部３３−１から受け取った判定結果＃１−０に応じて、フレーム＃１−２の通過又は遮断を切り替える。図２（ｄ）の例では、判定結果＃１−０は、「ＯＫ」であり、ＲＥ２０−１から送信された上り信号がＲＥ２０−１の雑音だけでなく移動局からのユーザデータ信号を含むことを示す。このため、ＳＷ３４−１は、フレーム＃１−２を通過させて上り信号多重部３５へ出力する。
【００２８】
一方、図２（ｅ）に示すように、ＲＥ２０−２から送信された上り信号のフレーム＃２−０が多重装置３０の光インタフェース部３１−２によって受信されると、電力算出部３２−２は、図２（ｆ）に示すように、フレーム＃２−０の電力値＃２−０を算出する。
【００２９】
判定部３３−２は、図２（ｇ）に示すように、フレーム＃２−０の電力値＃２−０を用いて、ＲＥ２０−２から送信された上り信号がＲＥ２０−２の雑音のみを含むか否かを判定し、その判定結果＃２−０をＳＷ３４−２へ出力する。図２（ｇ）の例では、判定結果＃２−０は、「ＯＫ」であり、ＲＥ２０−２から送信された上り信号がＲＥ２０−２の雑音だけでなく移動局からのユーザデータ信号を含むことを示す。
【００３０】
ＳＷ３４−２は、図２（ｈ）に示すように、判定部３３−２から受け取った判定結果＃２−０に応じて、フレーム＃２−２の通過又は遮断を切り替える。図２（ｈ）の例では、判定結果＃２−０は、「ＯＫ」であり、ＲＥ２０−２から送信された上り信号がＲＥ２０−２の雑音だけでなく移動局からのユーザデータ信号を含むことを示す。このため、ＳＷ３４−２は、図２（ｈ）に示すように、フレーム＃２−２を通過させて上り信号多重部３５へ出力する。
【００３１】
上り信号多重部３５は、ＳＷ３４−１から出力されたフレーム＃１−２と、ＳＷ３４−２から出力されたフレーム＃２−２とを多重して、多重されたフレームをＲＥＣ５０へ出力する。
【００３２】
続いて、ＲＥ２０−１から送信された上り信号が移動局からのユーザデータ信号を含み、ＲＥ２０−２から送信された上り信号がＲＥ２０−２の雑音のみを含む場合の多重装置３０の処理動作を説明する。
【００３３】
例えば図２（ａ）に示すように、ＲＥ２０−１から送信された上り信号のフレーム＃１−１が多重装置３０の光インタフェース部３１−１によって受信されると、電力算出部３２−１は、図２（ｂ）に示すように、フレーム＃１−１の電力値＃１−１を算出する。
【００３４】
判定部３３−１は、図２（ｃ）に示すように、フレーム＃１−１の電力値＃１−１を用いて、ＲＥ２０−１から送信された上り信号がＲＥ２０−１の雑音のみを含むか否かを判定し、その判定結果＃１−１をＳＷ３４−１へ出力する。図２（ｃ）の例では、判定結果＃１−１は、「ＯＫ」であり、ＲＥ２０−１から送信された上り信号がＲＥ２０−１の雑音だけでなく移動局からのユーザデータ信号を含むことを示す。
【００３５】
ＳＷ３４−１は、図２（ｄ）に示すように、判定部３３−１から受け取った判定結果＃１−１に応じて、フレーム＃１−３の通過又は遮断を切り替える。図２（ｄ）の例では、判定結果＃１−１は、「ＯＫ」であり、ＲＥ２０−１から送信された上り信号がＲＥ２０−１の雑音だけでなく移動局からのユーザデータ信号を含むことを示す。このため、ＳＷ３４−１は、フレーム＃１−３を通過させて上り信号多重部３５へ出力する。
【００３６】
一方、図２（ｅ）に示すように、ＲＥ２０−２から送信された上り信号のフレーム＃２−１が多重装置３０の光インタフェース部３１−２によって受信されると、電力算出部３２−２は、図２（ｆ）に示すように、フレーム＃２−１の電力値＃２−１を算出する。
【００３７】
判定部３３−２は、図２（ｇ）に示すように、フレーム＃２−１の電力値＃２−１を用いて、ＲＥ２０−２から送信された上り信号がＲＥ２０−２の雑音のみを含むか否かを判定し、その判定結果＃２−１をＳＷ３４−２へ出力する。図２（ｇ）の例では、判定結果＃２−１は、「ＮＧ」であり、ＲＥ２０−２から送信された上り信号がＲＥ２０−２の雑音のみを含むことを示す。
【００３８】
ＳＷ３４−２は、図２（ｈ）に示すように、判定部３３−２から受け取った判定結果＃２−１に応じて、フレーム＃２−３の通過又は遮断を切り替える。図２（ｈ）の例では、判定結果＃２−１は、「ＮＧ」であり、ＲＥ２０−２から送信された上り信号がＲＥ２０−２の雑音のみを含むことを示す。このため、ＳＷ３４−２は、図２（ｈ）に示すように、フレーム＃２−３を遮断して上り信号多重部３５へ出力しない。
【００３９】
上り信号多重部３５は、図２（ｉ）に示すように、ＳＷ３４−１から出力されたフレーム＃１−３をフレーム＃２−３に多重することなく、フレーム＃１−３のみをＲＥＣ５０へ出力する。
【００４０】
以上のように本実施例によれば、多重装置３０は、光インタフェース部３１と、電力算出部３２と、判定部３３と、ＳＷ３４と、上り信号多重部３５とを有する。光インタフェース部３１は、ＲＥ２０毎に設けられ、当該ＲＥ２０から送信された上り信号を受信する。電力算出部３２は、光インタフェース部３１により受信された上り信号の電力値を算出する。判定部３３は、電力算出部３２により算出された上り信号の電力値を用いて、当該上り信号が当該上り信号を送信したＲＥ２０の雑音のみを含むか否かを判定する。ＳＷ３４は、判定部３３により上り信号が雑音のみを含むと判定された場合に、雑音信号を遮断する。上り信号多重部３５は、光インタフェース部３１により受信された上り信号であって、ＳＷ３４により雑音信号として遮断されていない上り信号を多重してＲＥＣ５０へ出力する。
【００４１】
この多重装置３０の構成により、多重装置３０からＲＥＣ５０へ出力される各ＲＥ２０の上り信号から雑音信号が除外される。この結果として、多重装置３０からＲＥＣ５０へ出力される各ＲＥ２０の上り信号のＳＮＲの劣化を抑制することができる。
【実施例２】
【００４２】
実施例２では、上り信号がシングルキャリア周波数分割多元接続（ＳＣ−ＦＤＭＡ：Single  Carrier  Frequency  Division  Multiple  Access）方式の信号であり、雑音のみを含む周波数リソース単位を遮断する点が、実施例１とは異なる。
【００４３】
＜基地局システム１０＞
図３は、実施例２の基地局システム１０の一例を示す図である。図３において、基地局システム１０は、ＲＥ２０−１〜２０−４、多重装置３０及びＲＥＣ５０を有する。なお、以下に説明する点を除き、図３において、図１と同じ符号を付したブロックは、図１におけるブロックと同一または同様の機能を有するため、重複する説明を省略する。
【００４４】
＜多重装置３０＞
多重装置３０は、図３に示すように、光インタフェース部３１−１〜３１−４、ＣＰ（Cyclic  Prefix）除去部３７−１〜３７−４及びＦＦＴ（Fast  Fourier  Transform）部３８−１〜３８−４を有する。また、多重装置３０は、バッファ３９−１〜３９−４、ＳＷ制御部４０−１〜４０−４、ＳＷ１３４−１〜１３４−４及び上り信号多重部１３５を有する。また、多重装置３０は、ＩＦＦＴ（Inverse  Fast  Fourier  Transform）部４１、ＣＰ付加部４２、同期タイミング生成部４３及び光インタフェース部３６を有する。
【００４５】
なお、以下では、ＣＰ除去部３７−１〜３７−４を区別することなく総称する場合にＣＰ除去部３７と記載する。また、以下では、ＦＦＴ部３８−１〜３８−４を区別することなく総称する場合にＦＦＴ部３８と記載する。また、以下では、バッファ３９−１〜３９−４を区別することなく総称する場合にバッファ３９と記載する。また、以下では、ＳＷ制御部４０−１〜４０−４を区別することなく総称する場合にＳＷ制御部４０と記載する。また、以下では、ＳＷ１３４−１〜１３４−４を区別することなく総称する場合にＳＷ１３４と記載する。本実施例において、ＣＰ除去部３７、ＦＦＴ部３８、バッファ３９、ＳＷ制御部４０、ＳＷ１３４は、１つのＲＥ２０に対して１つ設けられる。
【００４６】
光インタフェース部３１は、ＲＥ２０から送信された上り信号（つまり、光通信フレーム）を受信し、受信した上り信号を光信号から電気信号に変換し、電気信号に変換された上り信号をＳＷ１３４へ出力する。ここで、ＲＥ２０から送信された上り信号は、ＳＣ−ＦＤＭＡ方式の信号である。光インタフェース部３１は、受信部の一例であり、光インタフェース部３１からＳＷ１３４へ出力された上り信号は、受信部により受信された上り信号の一例である。
【００４７】
ＣＰ除去部３７は、光インタフェース部３１からＳＷ１３４へ出力された上り信号からＣＰを除去し、ＣＰ除去後の上り信号をＦＦＴ部３８へ出力する。
【００４８】
ＦＦＴ部３８は、ＣＰ除去部３７から出力された上り信号（つまり、時間領域の信号）を、周波数領域において連続する複数の周波数成分に変換する。そして、ＦＦＴ部３８は、変換された複数の周波数成分をバッファ３９に格納するとともに、ＳＷ制御部４０へ出力する。ＦＦＴ部３８は、変換部の一例である。
【００４９】
バッファ３９は、同期タイミング生成部４３から出力される後述の同期タイミングで複数の周波数成分をＳＷ１３４へ出力する。
【００５０】
ＳＷ制御部４０は、例えば図４に示すように、分割部４０１、電力算出部１３２−１〜１３２−２５、判定部１３３−１〜１３３−２５及び合成部４０２を有する。図４は、実施例２のＳＷ制御部４０の一例を示すブロック図である。なお、以下では、電力算出部１３２−１〜１３２−２５を区別することなく総称する場合に電力算出部１３２と記載する。また、以下では、判定部１３３−１〜１３３−２５を区別することなく総称する場合に判定部１３３と記載する。
【００５１】
分割部４０１は、ＦＦＴ部３８から出力された複数の周波数成分を所定数ずつ分割し、当該分割により得られた複数の周波数リソース単位を電力算出部１３２−１〜１３２−２５にそれぞれ分配する。
【００５２】
なお、３ＧＰＰ  ＬＴＥ（3rd  Generation  Partnership  Project  Long  Term  Evolution）のＳＣ−ＦＤＭＡ方式では、例えば１５ｋＨｚ間隔で隣接する例えば１２個のサブキャリア（周波数成分）が、１つのＲＢ（Resource  Block）として定義される。また、３ＧＰＰ  ＬＴＥのＳＣ−ＦＤＭＡ方式では、例えば５ＭＨｚ帯域幅に含まれる３００個のサブキャリア（周波数成分）を用いて上り信号の通信が行われる。すなわち、５ＭＨｚ帯域幅に含まれる３００個のサブキャリア（周波数成分）を用いて上り信号の通信が行われる場合、５ＭＨｚ帯域幅には、３００／１２＝２５個のＲＢが含まれる。以下の説明では、分割部４０１は、ＦＦＴ部３８から出力された３００個の周波数成分を１２個ずつ分割し、得られた２５個のＲＢ（ＲＢ＃０〜ＲＢ＃２４）を電力算出部１３２−１〜１３２−２５にそれぞれ分配するものとする。ＲＢは、周波数リソース単位の一例である。
【００５３】
電力算出部１３２は、分割部４０１により分配されたＲＢの電力値を算出する。例えば、電力算出部１３２は、分割部４０１により分配されたＲＢに含まれる１２個のサブキャリアの電力値を算出し、得られた１２個の電力値の積算値又は平均値をＲＢの電力値として算出する。そして、電力算出部１３２は、算出されたＲＢの電力値を判定部１３３へ出力する。
【００５４】
判定部１３３は、電力算出部１３２から出力されたＲＢの電力値を用いて、ＲＢが当該ＲＢを送信したＲＥ２０の雑音のみを含むか否かを判定する。具体的には、判定部１３３は、ＲＢの電力値が所定の閾値Ｐｔｈ２を超える場合に、ＲＢがＲＥ２０の雑音だけでなく移動局からのユーザデータ信号を含むと判定する。一方、判定部１３３は、ＲＢの電力値が閾値Ｐｔｈ２以下である場合に、ＲＢがＲＥ２０の雑音のみを含むと判定する。そして、判定部１３３は、ＲＢが当該ＲＢを送信したＲＥ２０の雑音のみを含むか否かを示す情報を判定結果として合成部４０２へ出力する。上記の閾値Ｐｔｈ２は、ＲＥ２０の雑音指数（ＮＦ：Noise  Figure）に基づいて予め決定される値であり、例えば、等価雑音電力値である。閾値Ｐｔｈ２は、第２の閾値の一例である。
【００５５】
なお、閾値Ｐｔｈ２は、ＲＥ２０毎に異なる値としても良い。例えば、ＲＥ２０の優先度が高いほど、閾値Ｐｔｈ２が低くなっても良い。これにより、優先度が高いＲＥ２０から送信された上り信号のＲＢがユーザデータ信号を含むと判定される確率が向上する。
【００５６】
合成部４０２は、判定部１３３の判定結果を合成し、合成された判定部１３３の判定結果をＳＷ１３４へ出力する。
【００５７】
図３の説明に戻る。ＳＷ１３４は、合成部４０２から受け取った判定部１３３の判定結果に応じて、バッファ３９から出力された複数の周波数成分の通過又は遮断をＲＢ毎に切り替える。具体的には、ＳＷ１３４は、判定部１３３によりＲＢがＲＥ２０の雑音だけでなく移動局からのユーザデータ信号を含むと判定された場合に、バッファ３９から出力されたＲＢを通過させて上り信号多重部１３５へ出力する。一方、ＳＷ１３４は、判定部１３３によりＲＢがＲＥ２０の雑音のみを含むと判定された場合に、バッファ３９から出力された、ＲＥ２０の雑音のみを含むＲＢ（以下「雑音ＲＢ」と呼ぶ）を遮断する。例えば、ＳＷ１３４は、雑音ＲＢに属する各周波数成分の振幅値を強制的に０に変更することによって、雑音ＲＢを遮断する。雑音ＲＢは、雑音リソース単位の一例である。
【００５８】
上り信号多重部１３５は、バッファ３９から出力された複数の周波数成分のうち、ＳＷ１３４により雑音ＲＢとして遮断されていないＲＢに属する周波数成分を多重する。そして、上り信号多重部１３５は、多重された周波数成分をＲＥＣ５０へ出力する。これにより、多重装置３０からＲＥＣ５０へ出力される各ＲＥ２０の上り信号のＳＮＲの劣化をＲＢ毎に抑制することができる。
【００５９】
ＩＦＦＴ部４１は、上り信号多重部１３５からＲＥＣ５０へ出力された周波数成分を時間領域の上り信号に変換する。
【００６０】
ＣＰ付加部４２は、ＩＦＦＴ部４１で得られた時間領域の上り信号にＣＰを付加し、ＣＰ付加後の上り信号を光インタフェース部３６へ出力する。
【００６１】
光インタフェース部３６は、ＣＰ付加部４２から出力された上り信号を光通信フレームにマッピングしてＲＥＣ５０へ送信する。
【００６２】
同期タイミング生成部４３は、ＲＥＣ５０と各ＲＥ２０との間の同期を行うための基準となる基準タイミング信号をＲＥＣ５０から取得し、取得した基準タイミング信号に基づいて同期タイミングを生成する。例えば、基準タイミング信号の出力タイミングが１ｓｅｃ周期である場合、同期タイミングは１〜１０ｍｓｅｃ周期である。そして、同期タイミング生成部４３は、生成された同期タイミングをＣＰ除去部３７、ＦＦＴ部３８、バッファ３９、ＳＷ制御部４０、ＳＷ１３４、上り信号多重部１３５、ＩＦＦＴ部４１及びＣＰ付加部４２へ出力する。同期タイミングは、これら処理部の処理タイミングの同期に用いられる。
【００６３】
なお、上記の説明では、同期タイミングの生成にＲＥＣ５０の基準タイミング信号が用いられたが、基準タイミング信号に代えてＧＰＳ（Global  Positioning  System）信号等の公共の無線信号が用いられても良い。
【００６４】
＜ＳＷ制御部４０、ＳＷ１３４及び上り信号多重部１３５の動作＞
図５〜図７は、実施例２におけるＳＷ制御部４０、ＳＷ１３４及び上り信号多重部１３５の処理動作の一例を示す図である。図５〜図７では、多重装置３０に、２つのＲＥ２０−１及びＲＥ２０−２が接続されている場合を想定する。
【００６５】
ＦＦＴ部３８−１から３００個の周波数成分が出力されると、ＳＷ制御部４０−１の分割部４０１は、図５（ａ）に示すように、３００個の周波数成分を１２個ずつ分割して、２５個のＲＢ（ＲＢ＃０〜ＲＢ＃２４）を取得する。そして、ＳＷ制御部４０−１の分割部４０１は、取得された２５個のＲＢ（ＲＢ＃０〜ＲＢ＃２４）を電力算出部１３２−１〜１３２−２５にそれぞれ分配する。
【００６６】
電力算出部１３２−１〜１３２−２５は、それぞれ、ＲＢ＃０〜ＲＢ＃２４の電力値を算出する。そして、算出されたＲＢ＃０〜ＲＢ＃２４の電力値が、図５（ｂ）に示すように、判定部１３３−１〜１３３−２５へ入力される。
【００６７】
判定部１３３−１〜１３３−２５は、それぞれ、ＲＢ＃０〜ＲＢ＃２４の電力値を用いて、ＲＢ＃０〜ＲＢ＃２４がＲＥ２０−１の雑音のみを含むか否かを判定する。すなわち、判定部１３３−１〜１３３−２５は、ＲＢ＃０〜ＲＢ＃２４の電力値が閾値Ｐｔｈ２以下である場合に、ＲＢがＲＥ２０−１の雑音のみを含むと判定する。図５（ｂ）の例では、ＲＢ＃０〜ＲＢ＃５、ＲＢ＃１０〜ＲＢ＃１６及びＲＢ＃２０〜ＲＢ＃２４の電力値が閾値Ｐｔｈ２以下であるため、ＲＢ＃０〜ＲＢ＃５、ＲＢ＃１０〜ＲＢ＃１６及びＲＢ＃２０〜ＲＢ＃２４がＲＥ２０−１の雑音のみを含むと判定される。
【００６８】
ＳＷ１３４−１は、ＲＢ＃０〜ＲＢ＃５、ＲＢ＃１０〜ＲＢ＃１６及びＲＢ＃２０〜ＲＢ＃２４がＲＥ２０−１の雑音のみを含むと判定されたので、ＲＢ＃０〜ＲＢ＃５、ＲＢ＃１０〜ＲＢ＃１６及びＲＢ＃２０〜ＲＢ＃２４を雑音ＲＢとして遮断する。すなわち、ＳＷ１３４−１は、図５（ｃ）に示すように、ＲＢ＃０〜ＲＢ＃５、ＲＢ＃１０〜ＲＢ＃１６及びＲＢ＃２０〜ＲＢ＃２４に属する各周波数成分の振幅値を強制的に０に変更することによって、雑音ＲＢを遮断する。
【００６９】
一方、ＦＦＴ部３８−２から３００個の周波数成分が出力されると、ＳＷ制御部４０−２の分割部４０１は、図６（ａ）に示すように、３００個の周波数成分を１２個ずつ分割して、２５個のＲＢ（ＲＢ＃０〜ＲＢ＃２４）を取得する。そして、ＳＷ制御部４０−２の分割部４０１は、取得された２５個のＲＢ（ＲＢ＃０〜ＲＢ＃２４）を電力算出部１３２−１〜１３２−２５にそれぞれ分配する。
【００７０】
電力算出部１３２−１〜１３２−２５は、それぞれ、ＲＢ＃０〜ＲＢ＃２４の電力値を算出する。そして、算出されたＲＢ＃０〜ＲＢ＃２４の電力値が、図６（ｂ）に示すように、判定部１３３−１〜１３３−２５へ入力される。
【００７１】
判定部１３３−１〜１３３−２５は、それぞれ、ＲＢ＃０〜ＲＢ＃２４の電力値を用いて、ＲＢ＃０〜ＲＢ＃２４がＲＥ２０−２の雑音のみを含むか否かを判定する。すなわち、判定部１３３−１〜１３３−２５は、ＲＢ＃０〜ＲＢ＃２４の電力値が閾値Ｐｔｈ２以下である場合に、ＲＢがＲＥ２０−２の雑音のみを含むと判定する。図６（ｂ）の例では、ＲＢ＃５〜ＲＢ＃１４及びＲＢ＃１７〜ＲＢ＃２４の電力値が閾値Ｐｔｈ２以下であるため、ＲＢ＃５〜ＲＢ＃１４及びＲＢ＃１７〜ＲＢ＃２４がＲＥ２０−２の雑音のみを含むと判定される。
【００７２】
ＳＷ１３４−２は、ＲＢ＃５〜ＲＢ＃１４及びＲＢ＃１７〜ＲＢ＃２４がＲＥ２０−２の雑音のみを含むと判定されたので、ＲＢ＃５〜ＲＢ＃１４及びＲＢ＃１７〜ＲＢ＃２４を雑音ＲＢとして遮断する。すなわち、ＳＷ１３４−２は、図６（ｃ）に示すように、ＲＢ＃５〜ＲＢ＃１４及びＲＢ＃１７〜ＲＢ＃２４に属する各周波数成分の振幅値を強制的に０に変更することによって、雑音ＲＢを遮断する。
【００７３】
上り信号多重部１３５は、図７に示すように、ＳＷ１３４−１及びＳＷ１３４−２により雑音ＲＢとして遮断されていないＲＢ（ＲＢ＃０〜ＲＢ＃４、ＲＢ＃６〜ＲＢ＃９、ＲＢ＃１５、ＲＢ＃１６及びＲＢ＃１７〜ＲＢ＃１９）に属する周波数成分を多重する。そして、上り信号多重部１３５は、多重された周波数成分をＲＥＣ５０へ出力する。
【００７４】
＜多重装置３０の動作＞
以上の構成を有する多重装置３０の処理動作の一例について説明する。図８は、実施例２の多重装置３０の処理動作の一例を示す図である。図８では、多重装置３０に、２つのＲＥ２０−１及びＲＥ２０−２が接続されている場合を想定する。
【００７５】
同期タイミング生成部４３は、ＲＥＣ５０と各ＲＥ２０との間の同期を行うための基準となる基準タイミング信号をＲＥＣ５０から取得し、取得した基準タイミング信号に基づいて同期タイミングを生成する（ステップＳ１０１）。そして、同期タイミング生成部４３は、生成された同期タイミングをＣＰ除去部３７、ＦＦＴ部３８、バッファ３９、ＳＷ制御部４０、ＳＷ１３４、上り信号多重部１３５、ＩＦＦＴ部４１及びＣＰ付加部４２へ出力する。同期タイミングは、これら処理部の処理タイミングの同期に用いられる。
【００７６】
ＣＰ除去部３７−１は、光インタフェース部３１−１からＳＷ１３４−１へ出力された上り信号からＣＰを除去し、ＣＰ除去後の上り信号をＦＦＴ部３８−１へ出力する（ステップＳ１０２）。
【００７７】
ＦＦＴ部３８−１は、ＣＰ除去部３７−１から出力された上り信号（つまり、時間領域の信号）を、周波数領域において連続する複数の周波数成分に変換する。そして、ＦＦＴ部３８−１は、変換された複数の周波数成分をバッファ３９−１に格納するとともに、ＳＷ制御部４０−１へ出力する（ステップＳ１０３及びステップＳ１０４）。
【００７８】
ＳＷ制御部４０−１の電力算出部１３２は、ＲＢの電力値を算出する（ステップＳ１０５）。ＳＷ制御部４０−１の判定部１３３は、ＲＢの電力値を用いて、ＲＢが当該ＲＢを送信したＲＥ２０−１の雑音のみを含むか否かを判定し、判定結果を合成部４０２を介してＳＷ１３４−１へ出力する（ステップＳ１０６）。
【００７９】
ＳＷ１３４−１は、判定部１３３によりＲＢがＲＥ２０−１の雑音だけでなく移動局からのユーザデータ信号を含むと判定された場合に（ステップＳ１０７否定）、バッファ３９−１から出力されたＲＢを通過させて上り信号多重部１３５へ出力する（ステップＳ１０８）。一方、ＳＷ１３４−１は、判定部１３３によりＲＢがＲＥ２０の雑音のみを含むと判定された場合に（ステップＳ１０７肯定）、バッファ３９−１から出力された、ＲＥ２０−１の雑音のみを含む雑音ＲＢを遮断する（ステップＳ１０９）。
【００８０】
上り信号多重部１３５は、バッファ３９−１から出力された複数の周波数成分のうち、ＳＷ１３４−１により雑音ＲＢとして遮断されていないＲＢに属する周波数成分と、ＳＷ１３４−２から出力された周波数成分とを多重する（ステップＳ１１０）。そして、上り信号多重部１３５によって多重された周波数成分は、ＩＦＦＴ部４１によって時間領域の上り信号に変換され、ＣＰ付加部４２によってＣＰが付加された後、光インタフェース部３６を介してＲＥＣ５０へ出力される。
【００８１】
以上のように本実施例によれば、多重装置３０は、光インタフェース部３１により受信された上り信号を周波数領域において連続する複数の周波数成分に変換するＦＦＴ部３８を有する。そして、多重装置３０において、電力算出部１３２は、複数の周波数成分が所定数ずつ分割されて得られる周波数リソース単位（つまり、ＲＢ）の電力を算出する。判定部１３３は、ＲＢの電力値を用いて、ＲＢがＲＥ２０の雑音のみを含むか否かを判定する。ＳＷ１３４は、判定部１３３によりＲＢが雑音のみを含むと判定された場合に、雑音ＲＢを遮断する。上り信号多重部１３５は、複数の周波数成分のうち、ＳＷ１３４により雑音ＲＢとして遮断されていないＲＢに属する周波数成分を多重してＲＥＣ５０へ出力する。
【００８２】
この多重装置３０の構成により、多重装置３０からＲＥＣ５０へ出力される各ＲＥ２０の上り信号から雑音ＲＢが除外される。この結果として、多重装置３０からＲＥＣ５０へ出力される各ＲＥ２０の上り信号のＳＮＲの劣化をＲＢ毎に抑制することができる。
【００８３】
＜他の実施例＞
なお、開示の技術は、上記した各実施例に限定されるものではなく、その要旨の範囲内で数々の変形が可能である。
【００８４】
例えば、上記実施例１では、基地局システム１０は、ＲＥ２０−１〜２０−４、多重装置３０及びＲＥＣ５０を有するが、開示の技術はこれに限られない。例えば、ＲＥ２０−１〜２０−４と、多重装置３０とが一体の装置として構成されても良い。ＲＥ２０−１〜２０−４と、多重装置３０とが一体の装置として構成された基地局システム１０を変形例の基地局システム１０として図９に示す。図９は、変形例の基地局システム１０の一例を示す図である。
【００８５】
図９において、変形例の基地局システム１０は、ＲＥ２０−１〜２０−４及びＲＥＣ５０を有する。なお、以下に説明する点を除き、図９において、図１と同じ符号を付したブロックは、図１におけるブロックと同一または同様の機能を有するため、重複する説明を省略する。
【００８６】
ＲＥ２０−１〜２０−４には、図１における多重装置３０の電力算出部３２、判定部３３及びＳＷ３４が組み込まれている。また、ＲＥ２０−１〜２０−４には、図１における多重装置３０の上り信号多重部３５が上り信号多重部３５−１〜３５−３として組み込まれている。また、ＲＥ２０−１〜２０−４は、光インタフェース部３６−１〜３６−７を用いて、カスケード接続されている。
【００８７】
また、上記実施例１及び実施例２の多重装置３０は、例えば、次のようなハードウェア構成により実現することができる。
【００８８】
図１０は、多重装置３０のハードウェアの一例を示す図である。多重装置３０は、例えば図１０に示すように、メモリ３００、プロセッサ３０１、およびネットワークインターフェイス回路３０２を有する。
【００８９】
ネットワークインターフェイス回路３０２は、各ＲＥ２０およびＲＥＣ５０との間で通信データの送受信を行う。光インタフェース部３１、３６は、ネットワークインターフェイス回路３０２によって実現される。実施例１において、メモリ３００には、電力算出部３２、判定部３３、ＳＷ３４及び上り信号多重部３５の機能を実現するためのプログラムなどの各種プログラムが格納される。プロセッサ３０１は、メモリ３００から読み出したプログラムを実行し、ネットワークインターフェイス回路３０２等と協働する。これにより、実施例１において、プロセッサ３０１は、電力算出部３２、判定部３３、ＳＷ３４及び上り信号多重部３５の機能を実現する。
【００９０】
また、実施例２において、メモリ３００には、ＣＰ除去部３７、ＦＦＴ部３８、バッファ３９、ＳＷ制御部４０、ＳＷ１３４、上り信号多重部１３５、ＩＦＦＴ部４１、ＣＰ付加部４２及び同期タイミング生成部４３の機能を実現するためのプログラムなどの各種プログラムが格納される。実施例２において、プロセッサ３０１は、メモリ３００から読み出したプログラムを実行し、ネットワークインターフェイス回路３０２等と協働する。これにより、実施例２において、プロセッサ３０１は、ＣＰ除去部３７、ＦＦＴ部３８、バッファ３９、ＳＷ制御部４０、ＳＷ１３４、上り信号多重部１３５、ＩＦＦＴ部４１、ＣＰ付加部４２及び同期タイミング生成部４３の機能を実現する。
【符号の説明】
【００９１】
１０  基地局システム
２０  ＲＥ
２１  アンテナ
２２  受信処理部
３０  多重装置
２３、３１、３６  光インタフェース部
３２、１３２  電力算出部
３３、１３３  判定部
３４、１３４  ＳＷ
３５、１３５  上り信号多重部
３７  ＣＰ除去部
３８  ＦＦＴ部
３９  バッファ
４０  ＳＷ制御部
４１  ＩＦＦＴ部
４２  ＣＰ付加部
５０  ＲＥＣ
４３  同期タイミング生成部
４０１  分割部
４０２  合成部
【図１】
2017200111.tif 000003
【図２】
2017200111.tif 000004
【図３】
2017200111.tif 000005
【図４】
2017200111.tif 000006
【図５】
2017200111.tif 000007
【図６】
2017200111.tif 000008
【図７】
2017200111.tif 000009
【図８】
2017200111.tif 000010
【図９】
2017200111.tif 000011
【図１０】
2017200111.tif 000012